(57)【特許請求の範囲】
【請求項１】
消火用ホースが内部に収納された消火栓本体と、
開閉弁を内蔵する消火栓弁ユニットと、
上記消火栓弁ユニットと上記消火用ホースを接続する消火用水の供給配管と、
上記開閉弁を開閉操作する遠隔開閉手段と、を備えた消火栓装置において、
上記遠隔開閉手段は、
上記消火栓弁ユニットに配設されて、上記開閉弁を開閉する受動部と、
上記消火栓本体内に配設され、上記開閉弁を開閉させるための回動トルクを発生する操作部と、
上記操作部から上記受動部に至るように配設された一対のアウターワイヤ、および上記一対のアウターワイヤ内を通されて、上記回動トルクを上記受動部に伝達するインナーワイヤを有し、上記一対のアウターワイヤは、それぞれ、２つのアウターワイヤ片からなる伝達部と、
それぞれ、上記一対のアウターワイヤのそれぞれの上記２つのアウターワイヤ片を連結し、上記アウターワイヤの配設経路長さを調整して上記インナーワイヤの張力を調整する張力調整手段と、を備えることを特徴とする消火栓装置。
【請求項２】
消火用ホースが内部に収納された消火栓本体と、
開閉弁を内蔵する消火栓弁ユニットと、
上記消火栓弁ユニットと上記消火用ホースを接続する消火用水の供給配管と、
上記開閉弁を開閉操作する遠隔開閉手段と、を備えた消火栓装置において、
上記遠隔開閉手段は、
上記消火栓弁ユニットに配設されて、上記開閉弁を開閉する受動部と、
上記消火栓本体内に配設され、上記開閉弁を開閉させるための回動トルクを発生する操作部と、
上記操作部から上記受動部に至るように配設された一対のアウターワイヤ、および上記一対のアウターワイヤ内を通されて、上記回動トルクを上記受動部に伝達するインナーワイヤを有する伝達部と、
上記一対のアウターワイヤに配設され、上記インナーワイヤの張力を調整する張力調整手段と、を備え、
防錆カバーが、上記張力調整手段を覆うとともに上記アウターワイヤの全周に接し、上記張力調整手段を露出できるように上記アウターワイヤに装着されていることを特徴とする消火栓装置。
【請求項３】
上記張力調整手段は、ターンバックルであることを特徴とする請求項１又は請求項２記載の消火栓装置。
【請求項４】
上記張力調整手段が上記消火栓本体内に配設されていることを特徴とする請求項１から請求項３のいずれか１項に記載の消火栓装置。
【請求項５】
消火用ホースが内部に収納された消火栓本体と、
開閉弁を内蔵する消火栓弁ユニットと、
上記消火栓弁ユニットと上記消火用ホースを接続する消火用水の供給配管と、
上記開閉弁を開閉操作する遠隔開閉手段と、を備えた消火栓装置において、
上記遠隔開閉手段は、
上記消火栓弁ユニットに配設されて、上記開閉弁を開閉する受動部と、
上記消火栓本体内に配設され、上記開閉弁を開閉させるための回動トルクを発生する操作部と、
上記操作部から上記受動部に至るように配設された一対のアウターワイヤ、および上記一対のアウターワイヤ内を通されて、上記回動トルクを上記受動部に伝達するインナーワイヤを有する伝達部と、
上記一対のアウターワイヤのそれぞれの長さ方向の一部に配設され、上記アウターワイヤの配設経路長さを調整して、上記インナーワイヤの張力を調整するターンバックルと、
上記ターンバックルの胴部を回して上記アウターワイヤの配設経路長さを調整するゴム製のスパナと、を備えることを特徴とする消火栓装置。
【請求項６】
上記消火栓弁ユニットが、上記消火栓本体外に設けられる配水本管の分岐部に配設されている請求項１から請求項５のいずれか１項に記載の消火栓装置。
【発明の詳細な説明】
【技術分野】
【０００１】
この発明は、例えば高速自動車道等のトンネルに設置されて火災時に本体内部の消火用ホースを引き出して消火を行う消火栓装置に関するものである。
【背景技術】
【０００２】
例えば特許文献１に記載の従来の消火栓装置は、放水設備がトンネルの側壁凹部に設置された消火栓箱に収納され、トンネル内に形成された側溝内に敷設された配水本管から分岐管により分岐された消火用水が接続配管、開閉弁および供給配管を経て、放水設備のホースに供給されるようになっている。そして、開閉弁は、消火栓箱から離れた、配水本管が敷設されている側溝内に収納され、直接の操作が困難となるので、消火栓箱の近くで開閉操作するための遠隔開閉手段が設けられていた。この遠隔開閉手段は、消火栓扉の裏面に設けられた操作部と、開閉弁の開閉軸を回動する受動部と、操作部の動きを受動部に伝達する伝達部と、を備え、操作部を操作して、開閉弁を開閉する。
【先行技術文献】
【特許文献】
【０００３】
【特許文献１】特開平２０１０−２２７４５６号公報
【発明の概要】
【発明が解決しようとする課題】
【０００４】
従来の消火栓装置においては、開閉弁の開閉軸に受動側プーリを固定し、コントロールケーブルのインナーワイヤを受動側プーリに巻き掛け、ワイヤ固定金具によりインナーワイヤを受動側プーリに固定して、遠隔開閉手段の受動部を開閉軸に取り付けていた。しかし、この受動部の開閉軸への取り付けは、側溝内の狭いスペースでの作業となり、据え付け作業性が低下するという課題があった。さらに、操作部の開位置および閉位置が開閉弁の開位置および閉位置に一致するように、受動側プーリを角度調整して開閉軸に固定する必要があり、この角度調整作業が煩雑な作業となり、据え付け作業性が低下するという課題もあった。
【０００５】
この発明は、上記の課題を解決するためになされたものであり、インナーワイヤの張力を調整でき、据え付け作業性が高められる消火栓装置を得ることを目的とする。
【課題を解決するための手段】
【０００６】
この発明による消火栓装置は、消火用ホースが内部に収納された消火栓本体と、開閉弁を内蔵する消火栓弁ユニットと、上記消火栓弁ユニットと上記消火用ホースを接続する消火用水の供給配管と、上記開閉弁を開閉操作する遠隔開閉手段と、を備え、上記遠隔開閉手段は、上記消火栓弁ユニットに配設されて、上記開閉弁を開閉する受動部と、上記消火栓本体内に配設され、上記開閉弁を開閉させるための回動トルクを発生する操作部と、上記操作部から上記受動部に至るように配設された一対のアウターワイヤ、および上記一対のアウターワイヤ内を通されて、上記回動トルクを上記受動部に伝達するインナーワイヤを有し、上記一対のアウターワイヤは、それぞれ、２つのアウターワイヤ片からなる伝達部と、それぞれ、上記一対のアウターワイヤのそれぞれの上記２つのアウターワイヤ片を連結し、上記アウターワイヤの配設経路長さを調整して上記インナーワイヤの張力を調整する張力調整手段と、を備える。
【発明の効果】
【０００７】
この発明によれば、張力調整手段によりインナーワイヤの張力を調整できるので、消火栓装置の据え付け作業性が高められる。
【図面の簡単な説明】
【０００８】
【図１】この発明の一実施の形態に係る消火栓装置を示す正面図である。
【図２】この発明の一実施の形態に係る消火栓装置の設置状態を示す側断面図である。
【図３】この発明の一実施の形態に係る消火栓装置の消火栓扉開放状態を示す正面図である。
【図４】この発明の一実施の形態に係る消火栓装置における消火栓弁ユニットを示す上面図である。
【図５】この発明の一実施の形態に係る消火栓装置における遠隔開閉手段を構成する操作部を示す上面図である。
【図６】この発明の一実施の形態に係る消火栓装置における遠隔開閉手段を構成する受動部を説明する図である。
【図７】この発明の一実施の形態に係る消火栓装置におけるインナーワイヤの張力調整手段の構成を説明する要部断面図である。
【図８】この発明の一実施の形態に係る消火栓装置における防滴カバーの装着状態を示す断面図である。
【図９】この発明の一実施の形態に係る消火栓装置における遠隔開閉手段の受動部の取り付け方法を説明する図である。
【図１０】この発明の一実施の形態に係る消火栓装置における遠隔開閉手段の受動部の取り付け方法を説明する図である。
【図１１】この発明の一実施の形態に係る消火栓装置における遠隔開閉手段の受動部の取り付け方法を説明する図である。
【発明を実施するための形態】
【０００９】
以下、本発明の消火栓装置の好適な実施の形態につき図面を用いて説明する。
【００１０】
図１はこの発明の一実施の形態に係る消火栓装置を示す正面図、図２はこの発明の一実施の形態に係る消火栓装置の設置状態を示す側断面図、図３はこの発明の一実施の形態に係る消火栓装置の消火栓扉開放状態を示す正面図、図４はこの発明の一実施の形態に係る消火栓装置における消火栓弁ユニットを示す上面図、図５はこの発明の一実施の形態に係る消火栓装置における遠隔開閉手段を構成する操作部を示す上面図、図６はこの発明の一実施の形態に係る消火栓装置における遠隔開閉手段を構成する受動部を説明する図であり、図６の（ａ）は上面図、図６の（ｂ）は断面図である。図７はこの発明の一実施の形態に係る消火栓装置におけるインナーワイヤの張力調整手段の構成を説明する要部断面図、図８はこの発明の一実施の形態に係る消火栓装置における防滴カバーの装着状態を示す断面図である。なお、図５および図６では、説明の便宜上、ボックスのカバーを外した状態を示している。
【００１１】
図１から図３において、トンネルのコンクリート躯体１が車線(図示せず)に対して蒲鉾状に構築され、監視員通路２が路肩の一方に所定の高さに構築されている。監視員通路２の下部には、ダクト３が形成され、配水本管５、配水本管５から分岐する分岐管６、分岐管６に結合された接続配管７、接続配管７に接続された止水弁８などが敷設されている。消火栓装置１０は、トンネルのコンクリート躯体１の監視員通路２、或いは車線（図示せず）から操作可能な壁面に凹設された箱抜き４内に設置された消火栓本体１１と、ダクト３内で配水本管５から分岐する分岐管６に接続配管７および止水弁８を介して接続される消火栓弁ユニット３０と、消火栓本体１１側から消火栓弁ユニット３０を開閉操作する遠隔開閉手段４０と、を備える。
【００１２】
消火栓本体１１は、前面に開口する直方体の箱形に作製された箱体１２と、箱体１２の前面を覆う前面パネル１３と、からなる筐体を備えている。筐体の内部には、先端に消火用ノズル１５ａを有する消火用ホース１５、消火用ホース１５を内巻き式に収納するホースバケット１６、消火器１７、継ぎ部材２４、各種電気機器（図示せず）などが収納されている。この箱体１２は、箱抜き４の床面に固定されるベース枠１４にボルト締めなどによって固定される。
【００１３】
ここでは、消火器１７が筐体の内部の左側のスペースに収納され、残るスペースが消火用ホース収納スペースとなる。そして、継ぎ部材２４は、消火用ホース収納スペースのホースバケット１６の右側に配設され、消火用ホース１５が接続されるとともに、供給配管である接続用ホース２５が接続される。接続用ホース２５は、消火用ホース１５と同じ材料で作製されたホース、つまり保形ゴム引布ホースであり、消火栓弁ユニット３０の継ぎ手部３４（図４）と継ぎ部材２４とを接続し、消火用水を消火用ホース１５に供給する。
【００１４】
前面パネル１３には、消火用ホース収納スペースに面する横長の開口部１３ａと消火器収納スペースに面する縦長の開口部１３ｂが設けられている。そして、前に倒れる前倒式の消火栓扉１８が横長の開口部１３ａに取り付けられ、横開き式の消火器扉２０が縦長の開口部１３ｂに取り付けられている。横長の開口部１３ａは、図３に示されるように、消火栓扉１８の開放時に、消火栓扉１８の上端部が、前面パネル１３の下端部と略同じ高さに位置するように、前面パネル１３に設けられている。なお、前面パネル１３は一枚のパネルで構成されているが、例えば、左右に分割された２枚のパネルで構成されてもよい。
【００１５】
消火栓扉１８は、下端を蝶番で連結されて、横長の開口部１３ａを開閉可能に前面パネル１３に取り付けられている。消火栓扉１８の裏面には、消火用ノズル１５ａと、後述する遠隔開閉手段４０の操作部４１とが、取り付けられている。この消火栓扉１８は、例えば、磁石の磁力により閉状態が維持されており、ハンドル１９を手前に引くことで磁石の磁力による結合を解き、前傾方向に回動して垂れ下がって開口部１３ａを開放する。
【００１６】
消火器扉２０は、左側端部を蝶番で連結されて、縦長の開口部１３ｂを開口可能に前面パネル１３に取り付けられる。この消火器扉２０は、例えば、磁石の磁力により閉状態が維持されており、ハンドル２１を手前に引くことで磁石の磁力による結合を解き、開口部１３ｂを開放し、使用者が消火器１７を持って消火活動できるようになっている。
また、消火栓扉１８と消火器扉２０の間には、表示灯２２、発信機２３などが取り付けられている。
【００１７】
消火栓弁ユニット３０は、図４に示されるように、開閉弁３１と、開閉弁３１の二次側に配置されて、所定圧の消火用水を供給する自動調圧弁３２と、開閉弁３１の二次側に配置されて、非放水時の無加圧の消火用水を排出する自動排水弁３３と、接続用ホース２５が接続される継ぎ手部３４と、を備える。自動排水弁３３は、図２に示されるように、自動調圧弁３２の下部に配置されている。さらに、開閉腕３６が、開閉弁３１の開閉軸３５に固定され、開閉軸３５と供回り可能に構成されている。開閉腕３６は、開閉軸３５から径方向に延び出ており、後述する連結部材の一例としての連結ピン５３が嵌め込まれる連結穴３７が開閉腕３６の先端側に形成されている（図９〜図１１参照）。そして、消火栓弁ユニット３０は、開閉弁３１を止水弁８および接続配管７を介して分岐管６に接続され、配水本管５の分岐部に配設される。
【００１８】
遠隔開閉手段４０は、消火栓扉１８の裏面に配設された操作部４１と、開閉弁３１の開閉軸３５を回動する受動部４６と、操作部４１の動きを受動部４６に伝達する伝達部５４と、を備える。
【００１９】
操作部４１は、図５に示されるように、操作軸４３を操作側筐体であるボックス４２に軸支し、操作側プーリ４４を操作軸４３に固定し、開閉レバー４５を操作側プーリ４４に固定し、開閉レバー４５の操作により、操作側プーリ４４を操作軸４３周りに回動可能に構成されている。開閉レバー４５は、消火栓扉１８の扉面と平行に回動可能に構成されている。
【００２０】
受動部４６は、図６に示されるように、受動軸４８を受動側筐体であるボックス４７の底板に貫通状態で軸支し、受動側プーリ４９を受動軸４８のボックス４７内の端部に固定し、動力伝達腕５０を受動軸４８のボックス４７からの突出部に固定し、受動側プーリ４９および動力伝達腕５０が受動軸４８と供回り可能に構成されている。嵌合凹部５１が受動軸４８のボックス４７からの突出端の軸心位置に凹設されている。動力伝達腕５０は、受動軸４８から径方向に延び出ており、連結ピン５３が嵌め込まれる連結穴５２が動力伝達腕５０の先端側に形成されている。
【００２１】
伝達部５４は、アウターワイヤ５５と、アウターワイヤ５５内に通されたインナーワイヤ５６と、から構成されている。アウターワイヤ５５は、操作部４１側では、アウターワイヤ５５の一端部に設けられた雄ねじ部５７に螺着されたナット５８，５９でボックス４２の側壁を挟み込んで取り付けられ、受動部４６側では、アウターワイヤ５５の他端部に設けられた雄ねじ部６０に螺着されたナット６１，６２でボックス４７の側壁を挟み込んで取り付けられている。そして、インナーワイヤ５６は、アウターワイヤ５５内に通されて無端状に構成され、操作部４１側で、操作側プーリ４４に巻き掛けられて操作側プーリ４４に固定され、受動部４６側で、受動側プーリ４９に巻き掛けられて受動側プーリ４９に固定される。これにより、インナーワイヤ５６は、アウターワイヤ５５により弛みが規制され、操作側プーリ４４と受動側プーリ４９とに掛け渡され、操作側プーリ４４の回動トルクを受動側プーリ４９に伝達する。
【００２２】
アウターワイヤ５５は、図７に示されるように、２つのアウターワイヤ片をターンバックル６３により連結して構成される。ターンバックル６３は、インナーワイヤ５６の張力調整手段の一例であり、両端に雌ねじ部が形成された中空の胴部６４と、アウターワイヤ片のそれぞれの端部に固定された中空のボルト６５ａ，６５ｂと、から構成され、ボルト６５ａ，６５ｂを胴部６４の両端の雌ねじ部に螺着して構成される。そして、インナーワイヤ５６が、胴部６４およびボルト６５ａ，６５ｂ内を通っている。胴部６４の両端の雌ねじ部の一方は右ねじ、他方は左ねじとなっており、胴部６４の回転方向を変えることで、アウターワイヤ５５の長さが調整される。これにより、アウターワイヤ５５の配設経路長さが調整され、インナーワイヤ５６の張力が調整される。また、ボルト６５ａ，６５ｂには、ナット６６，６７が螺着されており、ナット６６，６７で胴部６４を挟み付けることで、胴部６４の位置が固定され、アウターワイヤ５５の配設経路長さが維持される。
【００２３】
防錆カバー６８は、例えばエチレンプロピレンゴム（ＥＰＤＭ）で蛇腹状に作製され、ターンバックル６３を覆うようにアウターワイヤ５５に装着されている。そして、防錆カバー６８は、通常時は、蛇腹部を伸ばされて、ターンバックル６３を覆い、かつ両端でアウターワイヤ片に全周にわたって弾性的に接し、アウターワイヤ５５を伝わってきた水などのターンバックル６３への侵入や水などのターンバックル６３への飛来を阻止する。また、防錆カバー６８は、インナーワイヤ５６の張力調整の際には、蛇腹部を縮めて、ターンバックル６３を露出させ、インナーワイヤ５６の張力調整作業を可能とする。
【００２４】
防滴カバー６９は、図８に示されるように、例えばエチレンプロピレンゴム（ＥＰＤＭ）で底部中央に貫通穴を有する椀状に作製され、開口を下方に向けて貫通穴にアウターワイヤ５５を通して装着されている。防滴カバー６９は、貫通穴の内周面をアウターワイヤ５５に全周にわたって弾性的に接し、アウターワイヤ５５を伝わってきた水などがアウターワイヤ５５を伝わってさらに下降するのを阻止する。
【００２５】
このように構成された遠隔開閉手段４０は、図３に示されるように、操作部４１がボックス４２を消火栓扉１８の裏面に固定して消火栓扉１８に取り付けられ、受動部４６が開閉弁３１に取り付けられ、アウターワイヤ５５が操作部４１から引き出され、開口部１３ａ内に引き込まれ、消火用ホース収納スペース内を下降してダクト３内に導かれ、受動部４６に連結される。そして、ターンバックル６３が消火用ホース収納スペース内に配設され、防滴カバー６９が、アウターワイヤ５５のダクト３内の部分に複数装着される。
【００２６】
つぎに、遠隔開閉手段４０の受動部４６の取り付け方法について図９から図１１を参照しつつ説明する。図９から図１１はそれぞれこの発明の一実施の形態に係る消火栓装置における遠隔開閉手段の受動部の取り付け方法を説明する図である。
【００２７】
まず、遠隔開閉手段４０は組み立てられ、操作部４１を消火栓扉１８の裏面に取り付けられた状態で、消火栓装置１０の据え付け現場に搬入される。なお、遠隔開閉手段４０は、ターンバックル６３を操作して、操作側プーリ４４の回転と受動側プーリ４９の回転との間に遊びが生じるように、インナーワイヤ５６の張力が緩めてられている。そして、ベース枠１４が箱抜き４の床面に設置され、箱体１２をベース枠１４にボルト締めなどによって固定し、消火栓本体１１が設置される。ついで、開閉弁３１を止水弁８に結合して、消火栓弁ユニット３０を取り付ける。さらに、接続用ホース２５の一端を継ぎ部材２４に接続し、他端を継ぎ手部３４に接続する。
【００２８】
そして、図９に示されるように、嵌合凹部５１内に開閉軸３５の突出端を嵌め込み、受動部４６のボックス４７の底板を開閉弁３１のフランジ部３１ａにボルト７０で締着固定して、受動部４６を開閉弁３１に装着する。そして、図１０に示されるように、動力伝達腕５０を開閉腕３６に重ね、連結ピン５３を連結穴５２，３７に差し込み、動力伝達腕５０と開閉腕３６とを連結する。ついで、図１１に示されるように、連結された開閉腕３６と動力伝達腕５０を閉位置に位置させる。さらに、操作部４１の開閉レバー４５を閉位置（図３に示す位置）に位置させる。
【００２９】
ついで、防錆カバー６８の蛇腹部を縮めてターンバックル６３を露出させる。そして、ナット６６，６７を緩め、例えば、Ａ９０の硬度のゴム製のスパナを用いて胴部６４が回せなくなるまで回して、インナーワイヤ５６を所定の張力（例えば、設定トルク：約０．１Ｎ・ｍ）に調整する。その後、ナット６６，６７を締め付けて胴部６４を固定し、ターンバックル６３を覆うように防錆カバー６８の蛇腹部を伸長させる。さらに、止水弁８を開けて、消火栓装置１０の据え付けが完了する。
【００３０】
このように据え付けられた消火栓装置１０では、使用者が、ハンドル１９を手前に引くことで、消火栓扉１８が前傾方向に回動して垂れ下がって開口部１３ａを開放する。そこで、使用者が、操作部４１の開閉レバー４５を、図３に示す閉位置から下方向の開位置に回す。この開閉レバー４５の回動トルクが、操作側プーリ４４、インナーワイヤ５６、受動側プーリ４９および動力伝達腕５０を介して開閉腕３６に伝達され、開閉弁３１が開放される。これにより、消火用水が配水本管５から消火栓弁ユニット３０および接続用ホース２５を介して消火用ホース１５に供給される。そして、使用者は、消火用ノズル１５ａを持って消火用ホース１５を引き出しながら火災発生現場に向かい、消火用ノズル１５ａから放水して消火活動を行う。
【００３１】
この発明によれば、受動部４６の受動軸４８の端部の軸心位置に嵌合凹部５１を形成し、動力伝達腕５０を受動軸４８の端部側に固定して、受動軸４８の径方向に延出させている。開閉腕３６を開閉弁３１の開閉軸３５の突出端側に固定して、開閉軸３５の径方向に延出させている。そして、嵌合凹部５１内に開閉軸３５の突出端を収納し、動力伝達腕５０を開閉腕３６に連結している。そこで、受動部４６の消火栓弁ユニット３０への取付が簡易となるので、狭いダクト３内でも、受動部４６を消火栓弁ユニット３０に簡易に取り付けることができ、消火栓装置１０の据え付け作業性が高められる。
【００３２】
また、操作側プーリ４４の回転と受動側プーリ４９の回転との間に遊びが生じるように、インナーワイヤ５６の張力を緩めておき、動力伝達腕５０を開閉腕３６に連結させた後、開閉腕３６および開閉レバー４５を閉位置に位置させ、ターンバックル６３を操作してインナーワイヤ５６に張力を生じさせるだけで、開閉レバー４５と開閉弁３１の位置調整が行われ、据え付け作業性が高められる。
【００３３】
また、受動軸４８の回動トルクが、動力伝達腕５０と開閉腕３６の連結部を介して、開閉軸３５に伝達される。これにより、受動軸４８の小さな回動トルクで開閉弁３１を開閉動作させることができ、遠隔開閉手段４０による開閉弁３１の開閉作業が容易となる。
【００３４】
動力伝達腕５０に形成された連結穴５２と開閉腕３６に形成された連結穴３７とを重ね合わせ、重ね合わされた連結穴５２，３７に連結ピン５３を嵌め込んで、動力伝達腕５０と開閉腕３６を連結一体化している。これにより、動力伝達腕５０と開閉腕３６との位置合わせが簡易となり、消火栓装置１０の据え付け作業性が高められる。なお、連結ピン５３の代わりに、その他の連結部材を用いるようにしてもよい。また、連結部材である連結ピン５３は、動力伝達腕５０及び開閉腕３６とは別部材として説明したが、連結ピンを動力伝達腕５０および開閉腕３６の一方に同一部材として一体に形成し、動力伝達腕５０および開閉腕３６の他方に連結穴を形成し、連結ピンを連結穴に嵌め込んで、動力伝達腕５０と開閉腕３６を連結一体化してもよい。
【００３５】
さらに、動力伝達腕５０と開閉腕３６との連結解除を防止する部材（連結部材の抜け防止部材）として、詳細には説明しなかったが、実施の形態では、連結ピン５３にＯリングを設けていたが、その他の連結部材の抜け防止部材を用いるようにしてもよい。例えば、連結部材に係止するスナップピン、ナットなどでもよい。
【００３６】
ターンバックル６３がアウターワイヤ５５の長さ方向の一部（途中）に配設されているので、ターンバックル６３の胴部６４を回すだけで、アウターワイヤ５５の配設経路長さを調整できる。これにより、インナーワイヤ５６の張力調整作業が簡易となり、消火栓装置１０の据え付け作業性が高められる。なお、インナーワイヤ５６の張力調整手段として、ターンバックル６３の代わりに、その他のインナーワイヤ５６の張力調整手段を用いるようにしてもよい。
【００３７】
トンネルのコンクリート躯体１から染み出す水には、腐食成分が含まれており、アウターワイヤ５５を伝って下降し、ターンバックル６３や遠隔開閉手段４０の受動部４６に侵入し、金属部品を腐食する危険性がある。この発明では、防錆カバー６８が、蛇腹部を伸ばされて、ターンバックル６３を覆い、かつ両端でアウターワイヤ片に全周にわたって弾性的に接するように、アウターワイヤ５５に装着されているので、防錆カバー６８が、アウターワイヤ５５を伝わって下降する腐食成分を有する水のターンバックル６３への侵入、あるいは腐食成分を有する水のターンバックル６３への飛来を阻止する。これにより、胴部６４やボルト６５ａ，６５ｂの腐食の発生が抑制され、ターンバックル６３によるインナーワイヤ５６の張力調整作業を長期的に安定して行える。
【００３８】
なお、ターンバックル６３は、定期点検による張力調整作業を行いやすくするために、消火栓扉１８を開いて開口部１３ａから操作できるように配設することが望ましく、例えばホースバケット１６の側面板１６ａ（図３）や、筐体の背面、右側面などに配設するようにしてもよい。このとき、ターンバックル６３をカバープレートで覆うように配設すると、不要な誤操作を防止することができる。
【００３９】
また、防滴カバー６９が底部中央に貫通穴を有する椀状に作製され、開口を下方に向けて貫通穴にアウターワイヤ５５を通して装着されているので、防滴カバー６９が、アウターワイヤ５５を伝わって下降する腐食成分を有する水のさらなる下降を阻止する。これにより、腐食成分を有する水がアウターワイヤ５５を伝わって受動部４６内に侵入することに起因するインナーワイヤ５６の腐食の発生が抑制され、開閉レバー４５の開閉トルクが開閉弁３１にスムーズに伝達される。
【００４０】
また、開放時、略９０°開放して監視員通路２上に位置する従来の前傾式の消火栓扉には、使用者が載っても破損しないような剛性が求められるので、消火栓扉の板厚を厚くしなければならず、消火栓本体の製造コストが高くなるとともに、重量が重くなり、搬送コストが高くなるという問題がある。この発明では、消火栓扉１８が、前傾方向に略１８０°回動して垂れ下がって開口部１３ａを開放するように前面パネル１３に取り付けられているので、使用者が消火栓扉１８に載るような事態が回避される。そこで、消火栓扉１８の軽量化が図られ、製造コストおよび搬送コストを削減することができる。なお、この発明の消火栓扉として、従来の前傾式の消火栓扉を採用することもできる。
【００４１】
また、消火用ノズル１５ａおよび遠隔開閉手段４０の操作部４１が消火栓扉１８に裏面に装着されているので、消火栓扉１８を開けたときに、使用者が、監視員通路２から、さらには車線側から操作部４１の開閉レバー４５を操作して開閉弁３１を開け、消火用ノズル１５ａを持って消火用ホース１５を引き出しながら火災発生現場に向かい、消火用ノズル１５ａから放水して消火活動ができる。
【００４２】
止水弁８の止水弁開閉レバー８ａが、消火栓弁ユニット３０に対して、開閉弁３１の開閉軸３５と逆側に配置されているので、使用者が、受動部４６に邪魔されることなく、止水弁開閉レバー８ａを操作でき、止水弁８の開閉動作が容易となる。なお、詳細には図示しないが、監視員通路２の路面には、下部のダクト３と連通する保守用扉が設けられているので、使用者は、消火栓弁ユニット３０の交換時等の必要時に保守用扉を開いて、止水弁開閉レバー８ａを操作できる。また、同様に、遠隔開閉手段４０の故障時には、開閉腕３６を直接操作して、開閉弁３１を開放することができる。
【００４３】
また、操作部４１、受動部４６および伝達部５４を組み立てて作製した遠隔開閉手段４０を、操作部４１を消火栓扉１８の裏面に取り付けて、消火栓本体１１に組み付けて、据え付け現場に搬入し、消火栓本体１１を箱抜き４内に配設し、消火栓弁ユニット３０を配水本管５の分岐部に取り付ける。ついで、嵌合凹部５１内に開閉軸３５の突出端を収納し、動力伝達腕５０を開閉腕３６に連結して、受動部４６を消火栓弁ユニット３０に取り付けている。そこで、狭いダクト３内でも、受動部４６を消火栓弁ユニット３０に簡易に取り付けることができ、据え付け作業性を高めることができる。
【００４４】
また、Ａ９０の硬度のゴム製のスパナを用い、ターンバックル６３の胴部６４を回せなくなるまで回して、インナーワイヤ５６の張力（設定トルク）を約０．１Ｎ・ｍに調整している。つまり、ゴム製のスパナで胴部６４を回すと、設定された張力となれば、スパナで胴部６４をそれ以上回せなくなるので、インナーワイヤ５６の張力をスパナの硬度に応じた張力に、簡易に、かつ精度よく調整できる。ここで、インナーワイヤ５６の設定張力は、操作側プーリ４４の回転と受動側プーリ４９の回転との間に遊びが生じないように、０Ｎ・ｍよりも大きく、かつ、使用者が開閉レバー４５を容易に操作可能なように、約０．２Ｎ・ｍ以下とすればよく、これらの設定張力に応じた硬度のゴム製のスパナを用いるようにしてもよい。
【００４５】
なお、例えば、トルクレンチで胴部６４を回してインナーワイヤ５６の張力を調整する方法がある。ここで、トルクレンチは、比較的に大きな張力を設定するのに適しており、上記のような小さな張力の設定には不向きであるが、ゴム製のスパナに代えてトルクレンチ等のその他の工具を用いるようにしてもよい。
【００４６】
なお、上記実施の形態では、供給配管として、保形ゴム引布ホース（接続用ホース２５）を用いているが、供給配管は、金属配管を用いてもよい。
【符号の説明】
【００４７】
５  配水本管、１０  消火栓装置、１１  消火栓本体、１５  消火用ホース、１７  消火器、２５  接続用ホース（供給配管）、３０  消火栓弁ユニット、３１  開閉弁、３５  開閉軸、３６  開閉腕、３７  連結穴、４０  遠隔開閉手段、４１  操作部、４２  ボックス（操作側筐体）、４３  操作軸、４４  操作側プーリ、４５  開閉レバー、４６  受動部、４７  ボックス（受動側筐体）、４８  受動軸、４９  受動側プーリ、５０  動力伝達腕、５１  嵌合凹部、５２  連結穴、５３  連結ピン、５４  伝達部、５５  アウターワイヤ、５６  インナーワイヤ、６３  ターンバックル、６４  胴部、６８  防錆カバー、６９  防滴カバー。
【図１】
0006284994.tif 000002
【図２】
0006284994.tif 000003
【図３】
0006284994.tif 000004
【図４】
0006284994.tif 000005
【図５】
0006284994.tif 000006
【図６】
0006284994.tif 000007
【図７】
0006284994.tif 000008
【図８】
0006284994.tif 000009
【図９】
0006284994.tif 000010
【図１０】
0006284994.tif 000011
【図１１】
0006284994.tif 000012